(57)【特許請求の範囲】
【請求項１】
表示部と、
前記表示部の背面側に配置された光源と、
前記表示部の表示面と平行な方向の外形形状が前記光源よりも大きく、前記光源の前記表示部側に設置されたレンズ部材と、
前記光源を支持する支持部材と、
前記レンズ部材と前記支持部材との間に配置された第１反射部材とを備え、
前記第１反射部材は、前記レンズ部材が挿通可能な第１部分と、前記表示部の表示面と平行な方向における前記レンズ部材の外形形状よりも小さく、かつ、前記第１部分と連続するとともに内側に前記光源が配置可能な第２部分とを有する開口部を含み、
前記第１反射部材は、単一の部材によって構成されている、表示装置。
【請求項２】
前記光源および前記レンズ部材は、それぞれ複数設けられ、
前記第１反射部材は、複数の前記開口部を含み、
前記複数の開口部の各々において、前記第１部分は、前記レンズ部材に対応する位置に配置され、前記第２部分は、前記第１部分に対して前記背面と平行な所定方向側に配置されている、請求項１に記載の表示装置。
【請求項３】
前記第１部分と前記第２部分とは、直線状に連続している、請求項１または２に記載の表示装置。
【請求項４】
前記第１反射部材は、前記支持部材に対応する形状の反射部材により構成されている、請求項１〜３のいずれか１項に記載の表示装置。
【請求項５】
前記第１反射部材と重なるように設けられ、前記レンズ部材が挿通可能な貫通孔を有する第２反射部材をさらに備え、
前記第１反射部材および前記第２反射部材の一方は、前記支持部材に対応する形状の反射部材により構成され、
前記第１反射部材および前記第２反射部材の他方は、前記支持部材のうち一部を覆う反射部材により構成されている、請求項１〜３のいずれか１項に記載の表示装置。
【請求項６】
前記光源は、互いに非平行となる複数の列状に配置されており、
前記第１反射部材は、前記支持部材のうち一部を覆う反射部材により構成され、前記光源の列に沿って延びるとともに、それぞれの前記光源の列ごとに設けられている、請求項５に記載の表示装置。
【請求項７】
前記光源が搭載されるとともに、端部近傍にコネクタを有する配線基板をさらに備え、
前記第１反射部材は、前記コネクタが挿通可能な係合孔部を含み、
前記係合孔部は、前記光源が前記開口部内の前記第２部分に配置された状態で、前記コネクタが前記係合孔部内に挿通可能となる位置に配置されている、請求項１〜６のいずれか１項に記載の表示装置。
【発明の詳細な説明】
【技術分野】
【０００１】
この発明は、表示装置に関し、特に、光源と反射部材とを備えた表示装置に関する。
【背景技術】
【０００２】
従来、光源と反射部材とを備えた表示装置が知られている（たとえば、特許文献１参照）。
【０００３】
上記特許文献１には、表示部と、光源と、光源の上面（表示面側）に取り付けられたレンズ部材と、光源を支持する支持部材と、レンズ部材と支持部材との間に配置された反射シート（反射部材）と、を備えた直下型の表示装置が開示されている。反射シートは、光源の寸法に合わせた開口部を有し、開口部の内側に光源が配置されている。レンズ部材の外形寸法は、開口部よりも大きい。そのため、レンズ部材の直下（支持部材側）にも反射シートが配置されている。これにより、レンズ部材の直下に出射された光も反射シートにより反射されるので、光の利用効率が低下されるのが抑制される。上記特許文献１の表示装置では、支持部材上に光源が設置された後、光源が開口部内に位置するように反射シートが支持部材上に設置され、その後、レンズ部材が光源に取り付けられるものと考えられる。
【先行技術文献】
【特許文献】
【０００４】
【特許文献１】特開２０１２―２０４３３６号公報
【発明の概要】
【発明が解決しようとする課題】
【０００５】
しかしながら、上記特許文献１の表示装置では、光源が複数設けられる場合に、光源および反射シートが支持部材上に設置された後で、レンズ部材をそれぞれの光源に個別に取り付ける必要があるため、組立作業性が低いという問題点がある。
【０００６】
この発明は、上記のような課題を解決するためになされたものであり、この発明の１つの目的は、組立作業性を向上させながら、光の利用効率が低下するのを抑制することが可能な表示装置を提供することである。
【課題を解決するための手段】
【０００７】
上記目的を達成するために、この発明の一の局面による表示装置は、表示部と、表示部の背面側に配置された光源と、表示部の表示面と平行な方向の外形形状が光源よりも大きく、光源の表示部側に設置されたレンズ部材と、光源を支持する支持部材と、レンズ部材と支持部材との間に配置された第１反射部材とを備え、第１反射部材は、レンズ部材が挿通可能な第１部分と、表示部の表示面と平行な方向におけるレンズ部材の外形形状よりも小さく、かつ、第１部分と連続するとともに内側に光源が配置可能な第２部分とを有する開口部を含み、第１反射部材は、単一の部材によって構成されている。なお、表示部の背面とは、表示部の表示面とは反対側の面である。
【０００８】
この発明の一の局面による表示装置では、上記のように、レンズ部材と支持部材との間に配置される第１反射部材に、レンズ部材が挿通可能な第１部分と、表示部の表示面と平行な方向におけるレンズ部材の外形形状よりも小さく、かつ、第１部分と連続するとともに内側に光源が配置可能な第２部分とを有する開口部を設ける。これにより、予めレンズ部材が設置された状態でも、第１部分を介してレンズ部材および光源を開口部内に挿通させた後、第１反射部材（または支持部材）を表示部の背面と平行な方向にスライド移動させることにより、光源を開口部内の第１部分から第２部分の内側位置に配置することができる。この結果、レンズ部材付きの光源に対して後から第１反射部材を設置することができるので、組立作業性を向上させることができる。また、第２部分はレンズ部材よりも小さいため、レンズ部材の直下には、第１反射部材のうち開口部の周囲の部分が配置される。その結果、レンズ部材の直下に出射される光を第１反射部材により反射することができるので、光の利用効率が低下するのを抑制することができる。したがって、組立作業性を向上させながら、光の利用効率が低下するのを抑制することができる。
【０００９】
この発明の一の局面による表示装置では、上記のように、レンズ部材と支持部材との間に配置される第１反射部材に、レンズ部材が挿通可能な第１部分と、表示部の表示面と平行な方向におけるレンズ部材の外形形状よりも小さく、かつ、第１部分と連続するとともに内側に光源が配置可能な第２部分とを有する開口部を設ける。また、第１反射部材は、単一の部材によって構成されている。これにより、予めレンズ部材が設置された状態でも、第１部分を介してレンズ部材および光源を開口部内に挿通させた後、第１反射部材（または支持部材）を表示部の背面と平行な方向にスライド移動させることにより、光源を開口部内の第１部分から第２部分の内側位置に配置することができる。この結果、レンズ部材付きの光源に対して後から第１反射部材を設置することができるので、組立作業性を向上させることができる。また、第２部分はレンズ部材よりも小さいため、レンズ部材の直下には、第１反射部材のうち開口部の周囲の部分が配置される。その結果、レンズ部材の直下に出射される光を第１反射部材により反射することができるので、光の利用効率が低下するのを抑制することができる。したがって、組立作業性を向上させながら、光の利用効率が低下するのを抑制することができる。
【００１０】
上記一の局面による表示装置において、好ましくは、第１部分と第２部分とは、直線状に連続している。ここで、第１部分と第２部分とが直線状に連続するとは、第１部分と第２部分とが屈曲した経路（溝）で接続されることなく、直線状経路で連続していることを意味する。このように構成すれば、第１反射部材を直線状にスライドさせるだけで、容易に光源を第１部分から第２部分に配置することができる。そのため、組立作業性を更に向上させることができる。
【００１１】
上記一の局面による表示装置において、好ましくは、第１反射部材は、支持部材に対応する形状の反射部材により構成されている。このように構成すれば、レンズ部材の直下だけでなく、支持部材の表示部側の広い範囲を第１反射部材によって覆うことができるので、光の利用効率を向上させることができる。また、従来の反射シート（反射部材）に第１部分と第２部分とを有する開口部を形成するだけで、容易に第１反射部材を得ることができる。また、反射シートとは別個に第１反射部材を設ける場合に比べて、部品点数を削減することができるとともに、構造を簡素化することができる。
【００１２】
上記一の局面による表示装置において、好ましくは、第１反射部材と重なるように設けられ、レンズ部材が挿通可能な貫通孔を有する第２反射部材をさらに備え、第１反射部材および第２反射部材の一方は、支持部材に対応する形状の反射部材により構成され、第１反射部材および第２反射部材の他方は、支持部材のうち一部を覆う反射部材により構成されている。このように構成すれば、第１反射部材のうちで、光を反射できない第１部分に、第２反射部材を重ねて配置することができる。その結果、第１部分に照射された光を第２反射部材によって反射することができるので、光の利用効率が低下するのをより抑制することができる。また、第１反射部材および第２反射部材の両方を大型の反射部材により構成する場合と比較して、光の利用効率改善に寄与しない無駄な重複領域を低減して反射部材の使用量を抑制することができる。
【００１３】
この場合、好ましくは、光源は、互いに非平行となる複数の列状に配置されており、第１反射部材は、支持部材のうち一部を覆う反射部材により構成され、光源の列に沿って延びるとともに、それぞれの光源の列ごとに設けられている。このように構成すれば、非平行の複数の光源列が構成される場合でも、個々の光源列が延びる方向に沿ってスライド移動させる第１反射部材を設ければよいので、第１反射部材の基本構成を共通化することができるとともに、容易に、それぞれの第１反射部材の組み付け作業を行うことができる。
【００１４】
上記一の局面による表示装置において、好ましくは、光源が搭載されるとともに、端部近傍にコネクタを有する配線基板をさらに備え、第１反射部材は、コネクタが挿通可能な係合孔部を含み、係合孔部は、光源が開口部内の第２部分に配置された状態で、コネクタが係合孔部内に挿通可能となる位置に配置されている。このように構成すれば、第１反射部材をスライド移動させて光源が開口部内の第２部分に配置した際に、係合孔部内にコネクタを配置するだけで、光源が第２部分から第１部分側に移動しないように第１反射部材の移動を規制することができる。その結果、搬送時などに外力や振動が表示装置に加わる場合にも、第１反射部材の移動を抑制することができる。
【発明の効果】
【００１５】
本発明によれば、上記のように、組立作業性を向上させながら、光の利用効率が低下するのを抑制することができる。
【図面の簡単な説明】
【００１６】
【図１】本発明の第１実施形態による液晶テレビジョン装置の全体構成を示した斜視図である。
【図２】本発明の第１実施形態による液晶テレビジョン装置の全体の構成を示した背面図である。
【図３】本発明の第１実施形態による液晶テレビジョン装置の分解斜視図である。
【図４】本発明の第１実施形態による第１反射部材の底面部を示した図である。
【図５】本発明の第１実施形態による第１反射部材の光源用開口部を示した図である。
【図６】光源が光源用開口部の第２部分の内側に配置された状態を示した図である。
【図７】図６において光源を通る断面を模式的に示した図である。
【図８】比較例による光源からの光の経路を示した図である。
【図９】本発明の第２実施形態による第１および第２反射部材を示した分解斜視図である。
【図１０】第２実施形態による第１反射部材を示した平面図である。
【図１１】第２実施形態による第１反射部材の開口部を示した平面図である。
【図１２】第２実施形態において光源が開口部の第２部分の内側に配置された状態を示した図である。
【図１３】第１反射部材の係合孔部とコネクタとの位置関係を説明するための図である。
【図１４】第１反射部材の係合孔部とコネクタとの係合状態を示した図である。
【図１５】第１反射部材と第２反射部材とが重ねられた状態を示した平面図である。
【図１６】本発明の第３実施形態による第１反射部材の開口部を示した図である。
【図１７】第３実施形態において光源が開口部の第２部分の内側に配置された状態を示した図である。
【図１８】第２実施形態の変形例による第１および第２反射部材を示した分解斜視図である。
【発明を実施するための形態】
【００１７】
以下、本発明の実施形態を図面に基づいて説明する。
【００１８】
［第１実施形態］
（表示装置の構成）
図１〜図７を参照して、本発明の第１実施形態による液晶テレビジョン装置１００の構成について説明する。なお、液晶テレビジョン装置１００は、特許請求の範囲の「表示装置」の一例である。
【００１９】
本発明の第１実施形態による液晶テレビジョン装置１００には、図１に示すように、表示部１が設けられている。表示部１は、表示面１ａを有する。表示部１は、液晶セルからなり映像が表示可能に構成されている。なお、以下の説明において、液晶テレビジョン装置１００の表示部１に対向する位置から見て、左方向を矢印Ｘ１方向、右方向を矢印Ｘ２方向、正面方向（手前方向）を矢印Ｙ１方向、背面方向を矢印Ｙ２方向、上方向を矢印Ｚ１方向、下方向を矢印Ｚ２方向として説明する。
【００２０】
そして、液晶テレビジョン装置１００は、矢印Ｙ２方向側に設けられた光源２（図３参照）をバックライトとして表示部１に映像を表示する直下型液晶表示装置として構成されている。
【００２１】
図１および図２に示すように、液晶テレビジョン装置１００には、前部筐体３とスタンド部材４とリアフレーム５とカバー部材６とが設けられている。リアフレーム５は、特許請求の範囲の「支持部材」の一例である。
【００２２】
前部筐体３は、たとえば、樹脂により形成されている。そして、前部筐体３は、表示部１を前面側（矢印Ｙ１方向の一方面側）から支持するように構成されている。また、前部筐体３の中央部には、表示部１の表示面を矢印Ｙ１方向側に露出させるための矩形状の開口部３ａが設けられている。
【００２３】
スタンド部材４は、樹脂により形成されている。そして、スタンド部材４は、液晶テレビジョン装置１００全体を下側（矢印Ｚ２方向側）から支持するように構成されている。
【００２４】
リアフレーム５は、表示部１を背面側（矢印Ｙ２方向の他方面側）から支持するように構成されている。リアフレーム５は、たとえば、金属により形成されており、矢印Ｙ２方向に窪む凹形状に形成されている。リアフレーム５は、前部筐体３と矢印Ｙ２方向側から組み合わされている。また、リアフレーム５は、光源２を支持するように構成されている。
【００２５】
カバー部材６は、たとえば、樹脂により形成されており、図２に示すように、リアフレーム５よりも小さいサイズに形成されている。カバー部材６は、リアフレーム５の背面側（矢印Ｙ２方向側）に配置されている。カバー部材６は、リアフレーム５の背面（矢印Ｙ２方向側の面）の一部を部分的に覆っている。カバー部材６は、リアフレーム５の背面に配置された電源基板や信号処理基板などの種々の基板（図示せず）を覆うように構成されている。カバー部材６は、リアフレーム５に固定されている。
【００２６】
図３に示すように、液晶テレビジョン装置１００は、光源部ＬＰと、第１反射部材７と、光学シート８と、パネルポスト９とを含む。光源部ＬＰは、光源２と、基板１０と、レンズ部材１１と、コネクタ１２とを含む。基板１０は、特許請求の範囲の「配線基板」の一例である。なお、以下では、表示部１側からの平面視における各部の形状についても説明する。表示部１側からの平面視とは、表示部１側からＹ方向に見た場合を指す。したがって、表示部１側から平面的に見た形状（平面視における形状）とは、表示部１の表示面１ａと平行な方向（Ｚ方向およびＸ方向）の形状と言い換えてもよい。
【００２７】
光源部ＬＰは、複数の光源２と、複数のレンズ部材１１と、コネクタ１２とが基板１０に実装された光源モジュールとして構成されている。光源部ＬＰは、リアフレーム５に固定され、表示部１の背面側から表示部１の全面に光を照射するように構成されている。光源部ＬＰの固定は、両面接着の放熱テープやビス留めなどの方法で基板１０がリアフレーム５に固定されることにより行われている。第１実施形態では、光源部ＬＰが１つ設けられている。
【００２８】
光源２は、たとえば、ＬＥＤ（Ｌｉｇｈｔ  Ｅｍｉｔｔｉｎｇ  Ｄｉｏｄｅ）により構成されている。すなわち、光源２は点光源である。光源２は、表示部１の背面側（矢印Ｙ２方向側）に配置され、表示部１側（矢印Ｙ１方向側）に光を照射するように構成されている。光源２は、基板１０を介してリアフレーム５に支持されている。光源２は、平面的に見て矩形状（図５参照）を有する。
【００２９】
基板１０は、直線状に延びる細長板状の配線基板である。基板１０は、リアフレーム５の前面側表面（矢印Ｙ１方向側表面）に設置されている。また、基板１０の前面側表面には、合計９個の光源２とコネクタ１２とが、基板１０の延びる方向（Ｘ方向）に沿って、互いに間隔を隔てて実装されている。
【００３０】
レンズ部材１１は、光源２の表示部１側に設置されている。レンズ部材１１は、基板１０上に実装されている光源２を表示部１側（矢印Ｙ１方向側）から覆っている。レンズ部材１１は、アクリルなどの樹脂により構成されており、光源２からの出射光を所定の配光角を有する状態で出射するように構成されている。レンズ部材１１は、レンズ１１ａ（図７参照）の下部に設けられた複数（ここでは、３つ）の脚部１１ｂ（図７参照）が基板１０の表面に接着されることにより、基板１０に固定されている。レンズ部材１１は、光源２とともに予め基板１０上に固定されている。レンズ部材１１は、平面的に見て（表示部１側から見て）円形状を有し、光源２よりも大きい。つまり、レンズ部材１１は、表示部１の表示面１ａと平行な方向の外形形状が光源２よりも大きい。レンズ部材１１は、光源２を含んで光源２の表示部１側を、直径ｄ１（図５参照）の範囲で覆っている。
【００３１】
コネクタ１２は、概略で直方体形状を有し、基板１０上に固定されている。コネクタ１２は、図示しない信号線を介して電源基板に接続されている。それぞれの光源２は、基板１０に形成された配線部（図示せず）およびコネクタ１２を介して、外部からの電力供給を受けて発光する。コネクタ１２は、基板１０の長手方向の中央部近傍に配置されている。具体的には、コネクタ１２は、Ｘ１方向側から３番目の光源２と４番目の光源２との間の位置に配置されている。
【００３２】
第１反射部材７は、レンズ部材１１とリアフレーム５との間に配置され、光源２からの光を反射するように構成されている。第１反射部材７は、たとえば、樹脂（好ましくは、ＰＥＴ（Ｐｏｌｙｅｔｈｙｌｅｎｅｔｅｒｅｐｈｔａｌａｔｅ））により形成されている。第１反射部材７は、リアフレーム５に対応する形状を有するシート状の反射部材（反射シート）により構成されている。すなわち、第１反射部材７は、リアフレーム５の表示部１側表面と略同寸法を有し、リアフレーム５に沿った形状（矢印Ｙ２方向側に窪む凹形状）を有する。第１反射部材７は、後述する各種開口部の形成領域を除いて、リアフレーム５の表示部１側表面のほぼ全面を覆うように形成されている。
【００３３】
具体的には、第１反射部材７は、Ｘ方向に延びる長方形形状を有する底面部７ａと、底面部７ａの４辺を取り囲むように配置される４つの斜面部７ｂとを含む。底面部７ａは、表示部１に対して略平行に拡がるように形成されている。また、斜面部７ｂは、底面部７ａの端部からリアフレーム５の縁部に向かって傾斜して延びるように形成されている。
【００３４】
また、図４に示すように、第１反射部材７は、複数の光源用開口部１３および１４と、２つのパネルポスト用開口部１５とを底面部７ａに含む。なお、図４では、便宜的に、底面部７ａにハッチングを付して図示している。光源用開口部１３および１４は、９個の光源２（レンズ部材１１）に対応して設けられている。具体的には、底面部７ａには、Ｘ方向の両側の各３つの光源２（レンズ部材１１）にそれぞれ対応する６つの光源用開口部１３と、中央の３つの光源２（レンズ部材１１）およびコネクタ１２に対応する１つの大型の光源用開口部１４とが設けられている。光源用開口部１３および１４は、特許請求の範囲の「開口部」の一例である。また、パネルポスト用開口部１５は、２つのパネルポスト９の配置位置に対応する位置にそれぞれ設けられている。
【００３５】
図３に示すように、光学シート８は、たとえば、拡散板および偏光フィルタなどを含む。図３では１枚の部材として図示しているが、複数枚のシートが積層された構造であってよい。光学シート８は、光源２と表示部１との間に配置されており、光源２からの光を拡散させたり、光の偏光方向を揃えて表示部１へ出射させたりするための所定の光学特性を有する。
【００３６】
〈第１反射部材の構成〉
第１実施形態では、図４および図５に示すように、第１反射部材７の光源用開口部１３は、レンズ部材１１が挿通可能な第１部分２１と、表示部１の表示面１ａと平行な方向におけるレンズ部材１１の外形形状よりも小さく、かつ、第１部分２１と連続するとともに内側に光源２が配置可能な第２部分２２（図５参照）とを有する。図４に示すように、大型の光源用開口部１４は、概して、３つの光源用開口部１３を接続して１つの開口部としたものである。そのため、光源用開口部１４も光源用開口部１３と同様の構造を有する。
【００３７】
光源用開口部１３は、図５に示すように、第１部分２１を構成する円形状の開口と第２部分２２を構成する矩形形状の開口とを部分的に重複させた鍵穴状の形状に形成されている。第１部分２１は、表示面１ａと平行な方向におけるレンズ部材１１の外形形状に対応する形状を有する。第１部分２１は、平面視で円形状のレンズ部材１１を一回り大きくした円形状に形成されている。第１部分２１の直径ｄ２は、レンズ部材１１の直径（外径）ｄ１よりも大きい。
【００３８】
第２部分２２は、第１部分２１からＳ２方向に直線状に延びるように連続しており、矩形形状を有する。つまり、第１部分２１と第２部分２２とは、直線状に連続している。Ｓ２方向は、基板１０の長手方向に沿う方向である。第２部分２２は、光源２と、光源２の周囲に配置されたレンズ部材１１の脚部１１ｂとを内側に配置可能な大きさに形成されている。
【００３９】
第２部分２２の短辺の長さＬ１および長辺の長さＬ２は、いずれもレンズ部材１１の直径ｄ１よりも小さい。そのため、レンズ部材１１は、第２部分２２を通過することはできない。また、図５および図６に示すように、短辺の長さＬ１は、光源２および脚部１１ｂが占める配置領域の同方向の長さＬ３よりも大きい。長辺の長さＬ２は、光源２および脚部１１ｂが占める配置領域の同方向の長さＬ４よりも大きい。したがって、図６に示すように、表示部１側から見た平面視において、第２部分２２の外縁部が、レンズ１１ａと重なる位置に配置され、かつ、外縁部が光源２および脚部１１ｂを取り囲むように配置されている。
【００４０】
図３に示すように、複数の光源用開口部１３（１４）の各々において、第１部分２１は、レンズ部材１１に対応する位置に配置され、第２部分２２は、第１部分２１に対して背面と平行な所定方向側に配置されている。つまり、第１反射部材７の全ての第２部分２２が、対応する第１部分２１に対して、同じ側（基板１０の長手方向の一方側（Ｓ２方向側））に配置されている。
【００４１】
なお、光源用開口部１４は、隣接する第１部分２１の間が第２部分２２によって接続されることにより、１つの大きな開口となっている。光源用開口部１４のＸ１方向側端部には、第３部分２３が設けられている。第３部分２３は、Ｚ方向の開口幅が大きくなるように形成されたコネクタ１２用の開口領域である。第１反射部材７とリアフレーム５との間を通る配線（図示せず）が、第３部分２３を介して第１反射部材７よりも表示部１側に引き出され、コネクタ１２に接続される。
【００４２】
このような構成により、第１反射部材７は、第１部分２１を介してレンズ部材１１を光源用開口部１３（１４）内に挿通（図５参照）させた後、光源２が第２部分２２の内側に配置されるように表示部１の背面に沿うＳ１方向にスライド移動されることにより、レンズ部材１１とリアフレーム５との間に配置されている。光源２は、第２部分２２の内側位置に配置（図６参照）される。
【００４３】
図６では、第２部分２２の内側に光源２が配置された状態で、第１反射部材７とレンズ部材１１とが重なる重複領域ＤＡにハッチングを付して示している。この結果、図７に示すように、レンズ部材１１とリアフレーム５との間に、第１反射部材７のうち重複領域ＤＡが配置されている。
【００４４】
〈第１反射部材の組み付け方法〉
第１実施形態では、図３に示すように、光源部ＬＰをリアフレーム５に設置した後で、第１反射部材７がリアフレーム５に組み付けられる。光源部ＬＰは、光源２と、レンズ部材１１と、コネクタ１２とが基板１０に実装されたモジュールとして準備され、リアフレーム５に設置される。
【００４５】
第１反射部材７を組み付ける際には、まず、それぞれの光源用開口部１３および１４の第１部分２１がレンズ部材１１の上方に位置付けられるように、第１反射部材７の位置合わせが行われる。次に、第１部分２１内にレンズ部材１１を挿通させながら、第１反射部材７がリアフレーム５上に載置される。この結果、図５に示したように、第１部分２１の内側の位置に、光源２とレンズ部材１１とが配置される。なお、コネクタ１２は第３部分２３（図３参照）内に挿通される。
【００４６】
次に、第１反射部材７が第１部分２１に対して第２部分２２とは逆側（Ｓ１方向）にスライド移動される。第１部分２１内の光源２（レンズ部材１１）は、光源用開口部１３（１４）内で第２部分２２側（Ｓ２方向）に相対移動する。第１反射部材７の全体がＳ１方向に移動されることにより、９つの光源２の全てが、第２部分２２の内側に配置される。このとき、図７に示したように、第１反射部材７のうちの重複領域ＤＡ（図６参照）が、リアフレーム５とレンズ部材１１との間に配置されるため、レンズ部材１１が第１反射部材７の抜け止めとして機能する。
【００４７】
そして、パネルポスト９がパネルポスト用開口部１５を通過してリアフレーム５に設置される。
【００４８】
［第１実施形態の効果］
第１実施形態では、以下のような効果を得ることができる。
【００４９】
第１実施形態では、上記のように、レンズ部材１１とリアフレーム５との間に配置される第１反射部材７に、レンズ部材１１が挿通可能な第１部分２１と、表示部１の表示面１ａと平行な方向におけるレンズ部材１１の外形形状よりも小さく、かつ、第１部分２１と連続するとともに内側に光源２が配置可能な第２部分２２とを有する光源用開口部１３（１４）を設ける。これにより、予めレンズ部材１１が設置された状態でも、第１部分２１を介してレンズ部材１１および光源２を光源用開口部１３（１４）内に挿通させた後、第１反射部材７（またはリアフレーム５）をスライド移動させることにより、光源２を光源用開口部１３（１４）内の第１部分２１から第２部分２２の内側位置に配置することができる。この結果、レンズ部材１１付きの光源２に対して後から第１反射部材７を設置することができるので、組立作業性を向上させることができる。また、第２部分２２はレンズ部材１１よりも小さいため、レンズ部材１１の直下には、第１反射部材７のうち光源用開口部１３（１４）の周囲の重複領域ＤＡ（図６参照）が配置される。その結果、レンズ部材１１の直下に出射される光を第１反射部材７により反射することができる（図７参照）ので、光の利用効率が低下するのを抑制することができる。したがって、組立作業性を向上させながら、光の利用効率が低下するのを抑制することができる。
【００５０】
具体的には、図８の比較例のように、レンズ部材１１を通過させるためにレンズ部材１１よりも大きい開口部５１を形成すれば、レンズ部材付きの光源２に対して後から反射部材５０を設置可能である一方、レンズ部材１１の直下に反射部材５０が配置されない。そのため、光源２から出射される光の一部が、開口部５１からリアフレーム５側に漏れてしまい、光の利用効率が低下する。これに対して、第１実施形態では、図７に示したようにレンズ部材１１の直下に第１反射部材７の一部（重複領域ＤＡ）を配置することができるので、レンズ部材１１の直下に出射される光も表示部１側に反射させて光の利用効率を向上させることが可能である。
【００５１】
また、第１実施形態では、上記のように、複数の光源用開口部１３（１４）の各々において、第１部分２１を、レンズ部材１１に対応する位置に配置し、第２部分２２を、第１部分２１に対して背面と平行な所定方向（Ｓ２方向）側に配置する。これにより、第１反射部材７を所定方向とは逆側（Ｓ１方向側）にスライド移動させるだけで、複数の光源２を一括してそれぞれの光源用開口部１３（１４）の第１部分２１から第２部分２２に相対移動させることができる。その結果、組立作業性をより向上させることができる。
【００５２】
また、第１実施形態では、上記のように、第１部分２１と第２部分２２とは、直線状に連続している。つまり、第１部分２１と第２部分２２とが屈曲した経路（溝）で接続されることなく、Ｓ２方向の直線状経路で連続している。これにより、第１反射部材７を直線状にスライドさせるだけで、容易に光源２を第１部分２１から第２部分２２に配置することができる。そのため、組立作業性を更に向上させることができる。
【００５３】
また、第１実施形態では、上記のように、第１部分２１を介してレンズ部材１１を光源用開口部１３（１４）内に挿通させた後、光源２が第２部分２２の内側に配置されるようにＳ１方向に第１反射部材７をスライド移動することにより、第１反射部材７をレンズ部材１１とリアフレーム５との間に配置する。これにより、第１反射部材７のスライド移動によって容易に光源２を第２部分２２に配置することができるので、組立作業性を向上させることができる。
【００５４】
また、第１実施形態では、上記のように、第１反射部材７を、リアフレーム５に対応する形状の反射部材により構成する。これにより、レンズ部材１１の直下だけでなく、リアフレーム５の表示部側の広い範囲を第１反射部材７によって覆うことができるので、光の利用効率を向上させることができる。また、従来の反射シート（反射部材）に第１部分２１と第２部分２２とを有する光源用開口部１３（１４）を形成するだけで、容易に第１反射部材７を得ることができる。また、反射シートとは別個に第１反射部材７を設ける場合に比べて、部品点数を削減することができるとともに、構造を簡素化することができる。
【００５５】
[第２実施形態]
次に、図１および図９〜図１２を参照して、第２実施形態による液晶テレビジョン装置２００の構成について説明する。第２実施形態では、第１反射部材７をリアフレーム５に対応する形状の反射部材（反射シート）により構成した第１実施形態とは異なり、板状の反射部材（反射板）により構成された第１反射部材１０７と、リアフレーム５に対応する形状の反射部材（反射シート）により構成された第２反射部材１１７とを設けた例について説明する。なお、液晶テレビジョン装置２００は、特許請求の範囲の「表示装置」の一例である。
【００５６】
（第２実施形態による表示装置の構成）
図９に示すように、第２実施形態による液晶テレビジョン装置２００（図１参照）は、第１反射部材１０７と、第２反射部材１１７とを備える。なお、第２実施形態では、パネルポスト９やパネルポスト用開口の図示を省略している。
【００５７】
第２実施形態では、３９個の光源２を備える大型の液晶テレビジョン装置２００の例を示している。光源部ＬＰは、合計６つ設けられている。各光源２は、直線状の基板１０上に所定間隔で直線の列状に配列されている。それぞれの基板１０上には、光源２が６つまたは７つ搭載されている。
【００５８】
それぞれの基板１０は、リアフレーム５の内面上でそれぞれ非平行となるように設置されている。つまり、それぞれの基板１０は、表示部１の背面と平行な平面内で、互いに異なる傾斜角度でリアフレーム５に設置されている。これにより、基板１０上の各光源２は、互いに非平行となる複数の列状に配置されている。光源部ＬＰの位置は、各光源２からの光が表示部１側に極力均等に照射されるように各光源２の位置が最適化された結果である。また、それぞれの基板１０において、コネクタ１２が長手方向の端部近傍に設けられている。
【００５９】
第２実施形態では、第１反射部材１０７は、リアフレーム５のうち一部を覆う板状の反射部材（反射板）（図１０参照）により構成されている。第１反射部材１０７は、第１反射部材１０７は、基板１０の長手方向に沿った直線状の細長形状を有し、基板１０よりも一回り大きくなるように形成されている。また、第２反射部材１１７は、リアフレーム５に対応する形状のシート状の反射部材（反射シート）により構成されている。表示部１側から見た平面視において、第１反射部材１０７は、第２反射部材１１７よりも小さい。後述するように、第１反射部材１０７は、第２反射部材１１７に形成された１または複数の貫通孔１１８に対応するように設けられる。第１反射部材１０７および第２反射部材１１７は、上記第１実施形態と同様、ＰＥＴなどの樹脂材料により形成されており、同一材料を用いてよい。
【００６０】
第１反射部材１０７は、光源２の列に沿って延びるとともに、それぞれの光源２の列ごとに設けられている。つまり、第２実施形態では、６つの光源部ＬＰの各々に、第１反射部材１０７が合計６つ設けられている。
【００６１】
図１０に示すように、第１反射部材１０７は、第１部分２１および第２部分１２２を有する開口部１１３を含む。開口部１１３は、それぞれの基板１０上の光源２に対して個別に設けられている。開口部１１３の基本的な構造は上記第１実施形態の光源用開口部１３と同様である。第２実施形態では、第２部分１２２が円形状になっている例を示している。つまり、開口部１１３は、円形状の第１部分２１と円形状の第２部分１２２とを部分的に重複させた形状に形成されている。第１部分２１と第２部分１２２とは、基板１０の長手方向（Ｓ２方向）に沿うように直線状に連続している。
【００６２】
第２実施形態においても、第１反射部材１０７は、図１１に示すように第１部分２１を介してレンズ部材１１を開口部１１３内に挿通させた後、Ｓ１方向にスライド移動されることにより、図１２に示すようにレンズ部材１１とリアフレーム５との間に配置されている。第２部分１２２は、表示部１の表示面１ａと平行な方向におけるレンズ部材１１（レンズ１１ａ）の外形形状よりは小さく、かつ、光源２および脚部１１ｂが占める配置領域よりも大きい。言い換えると、表示部１側から見た平面視において、第２部分１２２の外縁部が、レンズ１１ａと重なる位置に配置され、かつ、外縁部が光源２および脚部１１ｂを取り囲むように配置されている。
【００６３】
なお、開口部１１３は、図１１に示したように、第１部分２１と第２部分１２２とがつながる連結部１２３の幅Ｗ（スライド方向Ｓ１と直交する方向の幅）が、同方向における光源２および脚部１１ｂが占める配置領域の長さＬ３よりも小さくなるように形成されている。組み付け時に第１反射部材１０７をＳ１方向に移動させる場合には、連結部１２３を長さＬ３に合わせて弾性変形させることにより、脚部１１ｂを通過させることが可能である。光源２および脚部１１ｂを第２部分１２２側に通過させた後（図１２参照）では、連結部１２３は光源２および脚部１１ｂが第１部分２１側へ戻るのを抑制する抜け止めとしても機能する。
【００６４】
図１０に戻って、第１反射部材１０７は、コネクタ１２が挿通可能な係合孔部１１４を含む。係合孔部１１４は、コネクタ１２の外形形状に対応した形状を有する。係合孔部１１４は、矩形形状のコネクタ１２よりも僅かに大きい矩形形状を有する。係合孔部１１４は、コネクタ１２と当接して第１反射部材１０７の移動を抑制することが可能である。つまり、係合孔部１１４内にコネクタ１２を挿通すると、コネクタ１２が係合孔部１１４に係合して、第１反射部材１０７が基板１０の表面に沿って移動するのが規制される。
【００６５】
係合孔部１１４は、光源２が開口部１１３内の第２部分１２２に配置された状態で、コネクタ１２が係合孔部１１４内に挿通可能となる位置に配置されている。つまり、図１３に示すように、第１部分２１を介してレンズ部材１１を開口部１１３内に挿通させた状態では、係合孔部１１４とコネクタ１２（ハッチングを付して図示）との位置がずれた状態となる。そして、図１４に示すように、第１反射部材１０７をスライド移動させて光源２が第２部分１２２の内側に配置された場合に、係合孔部１１４とコネクタ１２との位置が一致する。なお、第１反射部材１０７は、コネクタ１２と干渉しないように第１反射部材１０７を弾性変形させながらスライドさせた後、最後に変形を解除してコネクタ１２を係合孔部１１４内に挿通させることで、設置可能である。
【００６６】
第２反射部材１１７は、図９に示すように、第１反射部材１０７と重なるように設けられ、レンズ部材１１が挿通可能な貫通孔１１８を有する。第２反射部材１１７は、第１反射部材１０７の表示部１側（Ｙ１方向側）に重ねて配置されている。
【００６７】
貫通孔１１８は、レンズ部材１１の外形形状に対応する形状を有する。貫通孔１１８は、平面視で円形状のレンズ部材１１を一回り大きくした円形状に形成されている。貫通孔１１８には、第２部分は設けられていない。貫通孔１１８は、光源２と同じ数だけ設けられている。なお、第２反射部材１１７には、コネクタ１２を挿通させるための貫通孔１１９も設けられている。
【００６８】
以上の構成により、第２実施形態では、最初に、それぞれの光源部ＬＰにおいて、第２部分１２２の内側に光源２が配置（図１２参照）されるように第１反射部材１０７が設置される。次に、貫通孔１１８内に全ての光源２のレンズ部材１１が挿通されるように第２反射部材１１７が設置される。この結果、図１５に示すように、第２部分１２２の位置に配置されたレンズ部材１１のＳ１方向側の位置で開口する第１部分２１が、第２反射部材１１７によって覆われる。
【００６９】
レンズ部材１１の直下の位置には、第１反射部材１０７とレンズ部材１１との重複領域ＤＡ（第２部分１２２の周囲）が配置され、第１部分２１の形成位置には、第２反射部材１１７が配置されている。図１５の反射領域ＲＡが、第１反射部材１０７の第１部分２１と第２反射部材１１７との重複領域である。反射領域ＲＡは、第１反射部材１０７では第１部分２１（開口部１１３）によって光を反射できない領域でありながら、第２反射部材１１７によって光を反射可能となった領域である。
【００７０】
第２実施形態のその他の構成は、上記第１実施形態と同様である。
【００７１】
[第２実施形態の効果]
第２実施形態では、以下のような効果を得ることができる。
【００７２】
第２実施形態では、上記第１実施形態と同様に、第１反射部材１０７に第１部分２１と第２部分１２２とを有する開口部１１３を設けることにより、レンズ部材１１付きの光源２に対して第１反射部材１０７を後から設置可能で、かつ、レンズ部材１１の直下に第１反射部材１０７を配置できるので、組立作業性を向上させながら、光の利用効率が低下するのを抑制することができる。
【００７３】
また、第２実施形態では、上記のように、第１反射部材１０７と重なるように設けられ、レンズ部材１１が挿通可能な貫通孔１１８を有する第２反射部材１１７を設ける。そして、第１反射部材１０７および第２反射部材１１７の一方を、リアフレーム５に対応する形状の反射部材により構成し、第１反射部材１０７および第２反射部材１１７の他方を、リアフレーム５のうち一部を覆う反射部材により構成する。これにより、第１反射部材１０７のうちで、光を反射できない第１部分２１に、第２反射部材１１７を重ねて配置することができる。その結果、第１部分２１に照射された光を第２反射部材１１７によって反射することができるので、光の利用効率が低下するのをより抑制することができる。また、第１反射部材１０７および第２反射部材１１７の両方を大型の反射部材により構成する場合と比較して、光の利用効率改善に寄与しない無駄な重複領域を低減して反射部材の使用量を抑制することができる。
【００７４】
また、第２実施形態では、上記のように、第１反射部材１０７を板状の反射部材（反射板）により構成し、第２反射部材１１７をシート状の反射部材（反射シート）により構成する。これにより、シート状の第２反射部材１１７によって容易にリアフレーム５の表示部側表面を全体的に覆うことができるとともに、設置時にスライド移動を伴う第１反射部材１０７を反射シートよりも小型の反射板により構成することによって、第１反射部材１０７の組み付け作業を容易化することができる。
【００７５】
また、第２実施形態では、上記のように、光源２を互いに非平行となる複数の列状に配置し、光源２の列に沿って延びる第１反射部材１０７を、それぞれの光源２の列ごとに設ける。これにより、非平行の複数の光源２の列が構成される場合でも、個々の光源２の列が延びる方向に沿ってスライド移動させる第１反射部材１０７を設ければよいので、第１反射部材１０７の基本構成を共通化することができるとともに、容易に、それぞれの第１反射部材１０７の組み付け作業を行うことができる。
【００７６】
また、第２実施形態では、上記のように、基板１０の端部近傍にコネクタ１２を配置し、第１反射部材１０７に、コネクタ１２が挿通可能であるとともにコネクタ１２と当接して第１反射部材１０７の移動を抑制する係合孔部１１４を設ける。そして、光源２が第２部分１２２に配置された状態で、コネクタ１２が係合孔部１１４内に挿通可能となる位置に、係合孔部１１４を配置する。これにより、第１反射部材１０７をスライド移動させて光源２が開口部１１３内の第２部分１２２に配置した際に、係合孔部１１４内にコネクタ１２を配置するだけで、光源２が第２部分１２２から第１部分２１側に移動しないように第１反射部材１０７の移動を規制することができる。その結果、搬送時などに外力や振動が液晶テレビジョン装置２００に加わる場合にも、第１反射部材１０７が移動することを抑制することができる。
【００７７】
また、第２実施形態による液晶テレビジョン装置２００のその他の効果は、第１実施形態における液晶テレビジョン装置１００と同様である。
【００７８】
[第３実施形態]
次に、図１、図１６および図１７を参照して、第３実施形態について説明する。第３実施形態では、第１反射部材２０７の開口部２１３の他の形状例について説明する。なお、第３実施形態において、第１反射部材２０７の開口部２１３以外の構成は上記第１実施形態と同様であるので、説明を省略する。
【００７９】
（第３実施形態の構成）
上記第１および第２実施形態では、第１部分２１に対する第２部分２２（１２２）の配置位置を、基板１０の長手方向（Ｓ２方向）に沿った位置とした例を示したが、第３実施形態の液晶テレビジョン装置３００（図１参照）では、図１６に示すように、第２部分２２２が、基板１０の長手方向とは異なる方向に向けて、第１部分２１から延びている。なお、液晶テレビジョン装置３００は、特許請求の範囲の「表示装置」の一例である。
【００８０】
第３実施形態において、開口部２１３は、円形状の第１部分２１とオーバル（長円）形状の第２部分２２２とを部分的に重複させた形状を有する。開口部２１３の第２部分２２２は、基板１０の長手方向とは直交するＳ４方向（基板１０の短手方向）に向けて延びるように形成されている。
【００８１】
第１反射部材２０７は、第１部分２１を介してレンズ部材１１を開口部２１３内に挿通させた後、Ｓ４方向とは逆方向（Ｓ３方向）にスライド移動される。第１反射部材２０７のスライド移動により光源２が第１部分２１からＳ４方向に相対移動して、図１７に示すように、光源２が第２部分２２２の内側位置に配置される。これにより、第１反射部材２０７が、レンズ部材１１とリアフレーム５との間に配置されている。
【００８２】
また、第３実施形態による液晶テレビジョン装置３００のその他の構成は、第１実施形態における液晶テレビジョン装置１００と同様である。
【００８３】
[第３実施形態の効果]
第３実施形態では、以下のような効果を得ることができる。
【００８４】
第３実施形態では、上記第１実施形態同様に、第１反射部材２０７に第１部分２１と第２部分２２２とを有する開口部２１３を設けることにより、レンズ部材１１付きの光源２に対して第１反射部材２０７を後から設置可能で、かつ、レンズ部材１１の直下に第１反射部材２０７を配置できるので、組立作業性を向上させながら、光の利用効率が低下するのを抑制することができる。
【００８５】
また、第３実施形態による液晶テレビジョン装置３００のその他の効果は、第１実施形態における液晶テレビジョン装置１００と同様である。
【００８６】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８７】
たとえば、上記第１〜第３実施形態では、表示装置の一例として、液晶テレビジョン装置を用いる例を示したが、本発明はこれに限らない。たとえば、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【００８８】
また、上記第１〜第３実施形態では、第１部分２１を円形状に形成した例を示したが、本発明はこれに限られない。第１部分２１の形状は、円形状でなくてもよい。第１部分２１は、レンズ部材１１に対応する形状に形成するのが好ましい。これにより、レンズ部材１１を第１部分２１に挿通させる際の隙間を小さくして、開口面積を極力低減することができる。
【００８９】
また、上記第１〜第３実施形態では、矩形形状の第２部分２２、円形状の第２部分１２２、および、長円形状の第２部分２２２の３つの形状例を示したが、本発明はこれに限られない。第２部分は、上記の３つの形状以外の形状に形成されてもよい。
【００９０】
また、上記第１〜第３実施形態では、第１部分２１と、第２部分２２（１２２、２２２）とが連続するように形成した例を示したが、本発明はこれに限られない。たとえば、第１部分と第２部分とが離間しており、溝状の通路を介して互いに接続されていてもよい。この場合、第１反射部材をスライドさせることにより、光源が第１部分から通路を通って第２部分に配置される。
【００９１】
また、上記第２実施形態では、第１反射部材１０７をリアフレーム５の一部を覆う反射部材（反射板）により構成し、第２反射部材１１７をリアフレーム５に対応する形状の反射部材（反射シート）により構成した例を示したが、本発明はこれに限られない。本発明では、図１８に示す変形例のように、開口部１１３を含む第１反射部材１０７をリアフレーム５に対応する形状の反射部材（反射シート）により構成し、貫通孔１１８を含む第２反射部材１１７をリアフレーム５の一部を覆う反射部材（反射板）により構成してもよい。
【００９２】
また、上記第１および第２実施形態では、第１反射部材７（１０７）を基板１０の長手方向に沿うＳ１方向にスライドさせる例を示し、上記第３実施形態では、第１反射部材２０７を基板１０の短手方向に沿うＳ３方向にスライドさせる例を示したが、本発明はこれに限られない。第１反射部材のスライド方向は、表示部１の背面に平行な方向のうち、どの方向にスライドさせてもよい。
【符号の説明】
【００９３】
１  表示部
１ａ  表示面
２  光源
５  リアフレーム（支持部材）
７  第１反射部材
１０  基板（配線基板）
１１  レンズ部材
１２  コネクタ
１３、１４  光源用開口部（開口部）
２１  第１部分
２２、１２２、２２２  第２部分
１００、２００、３００  液晶テレビジョン装置（表示装置）
１０７  第１反射部材
１１３、２１３  開口部
１１４  係合孔部
１１７  第２反射部材
１１８  貫通孔
【図１】
0006601146.tif 000002
【図２】
0006601146.tif 000003
【図３】
0006601146.tif 000004
【図４】
0006601146.tif 000005
【図５】
0006601146.tif 000006
【図６】
0006601146.tif 000007
【図７】
0006601146.tif 000008
【図８】
0006601146.tif 000009
【図９】
0006601146.tif 000010
【図１０】
0006601146.tif 000011
【図１１】
0006601146.tif 000012
【図１２】
0006601146.tif 000013
【図１３】
0006601146.tif 000014
【図１４】
0006601146.tif 000015
【図１５】
0006601146.tif 000016
【図１６】
0006601146.tif 000017
【図１７】
0006601146.tif 000018
【図１８】
0006601146.tif 000019